(57)【要約】      （修正有）【課題】人体の一定の部位による操作に合わせて動作速度を制御可能な運動器材を提供する。【解決手段】ユニット本体５は、第一ユニット１０および第二ユニット２０を有し、人体の一定の部位により操作される。動力装置３０は、第一ユニット１０および第二ユニット２０に別々に連結される第一連結部３１および第二連結部３２を有し、動力源の駆動により第一ユニット１０に対して第二ユニット２０を第一作動状態および第二作動状態とすることが可能であり、第二ユニット２０を第一作動状態および第二作動状態とするときの速度を制御することが可能である。感知制御装置５０は、ユニット本体５に配置される第一センサーおよび動力装置３０に配置される第二センサーを有する。【選択図】図１
0003163572.tif 000002
【実用新案登録請求の範囲】
【請求項１】
人体の一定の部位により操作され使用される第一ユニットおよび第二ユニットを有するユニット本体と、
前記第一ユニットおよび前記第二ユニットに別々に連結される第一連結部および第二連結部を有し、動力源の駆動により前記第一ユニットに対して前記第二ユニットを第一作動状態および第二作動状態とすることが可能であり、前記第二ユニットを前記第一作動状態および前記第二作動状態とするときの速度を制御可能な動力装置と、
前記ユニット本体に配置される第一センサーおよび前記動力装置に配置される第二センサーを有する感知制御装置と、
を備え、
前記第一センサーが前記第二センサーに対して第一位置および第二位置に据えられる際、前記動力装置は前記第一ユニットに対して前記第二ユニットを前記第一作動状態または前記第二作動状態に傾け、
前記人体の一定の部位による操作に合わせて動作速度を制御可能であることを特徴とする運動器材。
【請求項２】
前記感知制御装置の前記第一センサーは第一スイッチおよび第二スイッチを有し、前記感知制御装置の前記第二センサーはスイッチ制御ユニットであることを特徴とする請求項１に記載の運動器材。
【請求項３】
前記感知制御装置の前記第二センサーは第一スイッチおよび第二スイッチを有し、前記感知制御装置の前記第一センサーはスイッチ制御ユニットであることを特徴とする請求項１に記載の運動器材。
【請求項４】
前記動力装置は、モーターウォーム、油圧シリンダー、空圧シリンダーまたはウォームギアを含むことを特徴とする請求項１〜３のいずれか一項に記載の運動器材。
【請求項５】
前記動力装置の作動速度は、等速、加速または減速であることを特徴とする請求項１〜３のいずれか一項に記載の運動器材。
【請求項６】
前記動力装置の作動方式は、直線運動、スイング運動または旋転運動であることを特徴とする請求項１〜３のいずれか一項に記載の運動器材。
【請求項７】
前記動力装置は、本体と、該本体に対して移動する作動ユニットとを有することを特徴とする請求項１〜３のいずれか一項に記載の運動器材。
【請求項８】
前記ユニット本体の前記第一ユニットおよび前記第二ユニットの相対運動は、水平移動、スイング、旋転またはこれらの作動の組み合わせを含むことを特徴とする請求項１〜３のいずれか一項に記載の運動器材。
【請求項９】
前記ユニット本体および前記動力装置の前記第一連結部または前記第二連結部は、角度を有して移動することまたは直線運動によって移動することが可能なように接続されることを特徴とする請求項１〜３のいずれか一項に記載の運動器材。
【請求項１０】
前記第一ユニットの接続部と前記第二ユニットの接続部とを互いに接続させることにより、相対的にスイングまたは移動可能であることを特徴とする請求項１〜３のいずれか一項に記載の運動器材。
【考案の詳細な説明】
【技術分野】
【０００１】
本考案は、運動器材に関する。
【背景技術】
【０００２】
従来の運動器材では、一般的に、重り、ブレーキ、スプリングまたはダンピングなどの構成により操作負荷が構成されている。しかしながら、これらの負荷は速度を制御可能なトレーニングを提供することができない。速度を制御可能なトレーニングを行うには、特殊設備に頼る必要がある。
【０００３】
速度を制御可能なトレーニングを提供する設備の大部分は非常に高価であり、かつ専業機構分析および特殊トレーニングに用いられる。速度を制御可能なトレーニングは、重量トレーニングおよびリハビリ領域において重要な一環を担うと考えられるが、設備が非常に高価であるため、一般のトレーニングにまで普及することができない。それに対し、簡単な設備および方法によって速度を制御可能なトレーニングを提供する運動器材は、速度を制御可能なトレーニングを普及させるルートの一つである。このため、従来の運動器材を速度の制御が可能なトレーニング器材にグレードアップさせるためには、構成に改良を加える必要がある。
【考案の概要】
【考案が解決しようとする課題】
【０００４】
本考案の主な目的は、人体の一定の部位による操作に合わせて動作速度を制御可能な運動器材を提供することにある。
【課題を解決するための手段】
【０００５】
上述の目的を達成するために、本考案による運動器材は、ユニット本体、動力装置および感知制御装置を備える。
ユニット本体は第一ユニットおよび第二ユニットを有する。第一ユニットおよび第二ユニットは、人体の一定の部位により操作および使用される。
動力装置は、ユニット本体の第一ユニットおよび第二ユニットに別々に連結される第一連結部および第二連結部を有する。動力装置は、動力源の駆動により、第一ユニットに対して第二ユニットを第一作動状態および第二作動状態とすることが可能である。動力装置は、第二ユニットを第一作動状態および第二作動状態とするときの速度を制御することが可能である。感知制御装置は、ユニット本体に配置される第一センサーおよび動力装置に配置される第二センサーを有する。第一センサーが第二センサーに対して第一位置および第二位置に据えられる際、動力装置は、第一ユニットに対し、第二ユニットを第一作動状態または第二作動状態に傾ける。
【０００６】
（考案の効果）
本考案は、人体の一定の部位による操作に合わせて動作速度を制御可能な運動器材に関するものである。
運動器材は、スイッチ感知制御関連装置を備え、ユーザーの操作および動作方式／または方向に合わせて反対方向または同一方向上の速度を制御可能な動力を適切に生成することによって速度を制御可能な遠心力トレーニング（力点および筋肉収縮方向は反対方向）または向心力トレーニング（力点および筋肉収縮方向は同一方向）を達成する。
【図面の簡単な説明】
【０００７】
【図１】本考案の第一実施形態による運動器材の操作方向および使用状態を示す模式図。
【図２】図１の部分拡大図。
【図３】本考案の第一実施形態による運動器材の操作方向および使用状態を示す模式図。
【図４】図３の部分拡大図。
【図５】本考案の第二実施形態による運動器材の操作方向および使用状態を示す模式図。
【図６】本考案の第二実施形態による運動器材の操作方向および使用状態を示す模式図。
【考案を実施するための形態】
【０００８】
以下、本考案による運動器材を図面に基づいて説明する。
（第一実施形態）
図１から図３に示すように、本考案の第一実施形態による運動器材１は、ユニット本体５、動力装置３０および感知制御装置５０を備える。
【０００９】
ユニット本体５は、人体の一定の部位により操作および使用される第一ユニット１０および第二ユニット２０を有する。第一ユニット１０および第二ユニット２０は、それぞれ接続部１３と接続部２３とを互いに接続させることにより、互いに対応しながらスイングまたは移動することが可能である。ユニット本体５の第一ユニット１０はスリット１５を有する。
【００１０】
動力装置３０は、ユニット本体５の第一ユニット１０および第二ユニット２０に別々に連結される第一連結部３１および第二連結部３２を有する。動力装置３０は、動力源の駆動により第一ユニット１０に対する第二ユニット２０の状態を第一作動状態および第二作動状態とすることが可能である。本実施形態において、動力装置３０は、本体３５と、本体３５に対して移動する作動ユニット３６とを有するモーターウォームである。動力源は電力（図中未表示）に電気的に接続される。
動力装置３０の第一連結部３１は、スリット１５内を移動可能である。
【００１１】
感知制御装置５０は、ユニット本体５に配置される第一センサー５１および動力装置３０に配置される第二センサー５２を有する（図２参照）。第一センサー５１が第二センサー５２に対して第一位置および第二位置に据えられる際、動力装置３０は、第一ユニット１０に対して第二ユニット２０を第一作動状態または第二作動状態に傾ける。感知制御装置５０の第一センサー５１は第一スイッチ５１１および第二スイッチ５１２を有し、感知制御装置５０の第二センサー５２はスイッチを制御および／または感知できるスイッチ制御ユニットである。
【００１２】
本実施形態の部品の操作過程は次の通りである。
図３および図４に示すように、ユーザーは第二ユニット２０を持ち上げ、第一ユニット１０に対して接続部１３および接続部２３をスイングまたは移動させる。このとき動力装置３０の第二連結部３２は第二ユニット２０に連動するため、第一連結部３１は第一ユニット１０のスリット１５内を移動する。感知制御装置５０においてスイッチ制御ユニットである第二センサー５２は第一センサー５１の第一スイッチ５１１を起動する。第一スイッチ５１１は動力装置３０を通電して制御し、動力装置３０に伸長または短縮の第一作動状態を生じさせる。
【００１３】
逆に、図１および図２に示すように別の方向に操作すると、感知制御装置５０の第二センサー５２のスイッチ制御ユニットの位置は第一センサー５１の第一スイッチ５１１を起動する位置から第二スイッチ５１２を起動する位置に変わるのに対し、動力装置３０は伸長または短縮の第二作動状態を生じさせる。
【００１４】
（第二実施形態）
図５および図６に示すように、本考案の第二実施形態による運動器材２は、部品が上述した実施形態とほぼ同じである。上述した実施形態との違いは次の通りである。
【００１５】
第二ユニット２０Ａは第一ユニット１０Ａに接続されなくてもよい。動力装置３０Ａの第一連結部および第二連結部は第一ユニット１０Ａおよび第二ユニット２０Ａに別々に連結される。
感知制御装置５０Ａの第一センサー５１の第一スイッチ５１１および第二スイッチ５１２は、第二ユニット２０Ａに配置される。上述した第一ユニット１０上のスリット１５は第二ユニット２０Ａに形成される。
【００１６】
（他の実施形態）
本考案はさらに次のような他の実施形態を有する。
上述した通り、本考案におけるあらゆる部品または部位において、スリットは動力装置の第二連結部に形成されてもよい。感知制御装置の第一センサーの第一スイッチおよび第二スイッチは動力装置の第二連結部に配置されてもよい。
本考案の技術内容に基づいてユニット本体および動力装置の第一連結部または第二連結部は角度を呈して移動するか直線運動によって移動することが可能なように接続されてもよい。
【００１７】
本考案はさらに次のような別の実施形態を有する。
ユニット本体の第一ユニットおよび第二ユニットの相対運動は水平移動、スイング、旋転または任意の作動の組み合わせを含む。
速度を制御可能な動力運動は、モーターウォームのほかに、油圧シリンダー、空圧シリンダーまたはウォームギアを含むことが可能である。
【００１８】
動力源は、電力のほかに空圧または油圧を使用することが可能である。
動力装置の作動速度は、等速、加速または減速にしてもよい。加速または減速は等加速または等減速にしてもよい。
動力装置の作動方式は、上述した直線運動方式のほかにスイング運動または旋転運動にしてもよい。
【００１９】
上述した通り、動力装置は、作動速度の調整を行うことも、作動速度の調整を行わないことも可能である。作動速度を調整する際、プログラムに応じ、手動調整方式または自動調整方式によって単段または多段式調整を行うことが可能である。
【００２０】
本考案は上述した実施形態に限られない。
例えば、第二ユニットは第一ユニットに接続されなくてもよい。動力装置は、直接第一ユニットまたは第二ユニットに接続される。
第一ユニット、第二ユニットおよび動力装置の間は接続構成に限らず、スライド方式または連結棒などの構成を採用することが可能である。
【００２１】
感知制御装置の第一センサーは上述した通り第一ユニットまたは第二ユニットに配置されるほかに、動力装置上の適切な位置に配置されてもよい。第二センサーは第一ユニットまたは第二ユニットに配置される。言い換えれば、感知制御装置の第二センサーは第一スイッチおよび第二スイッチを有する。感知制御装置の第一センサーはスイッチ制御ユニットである。
本考案は、一定の運動器材に限らず、足部または人体の別の部位に対応する様々な運動器材、例えば足をあげる運動器材、腰をスイングさせる運動器材または漕艇運動器具にしてもよい。
【００２２】
上述した実施形態の説明により、本考案による操作に合わせて速度を制御可能な動力を供給する運動器材は、スイッチ感知制御関連装置を備え、かつユーザーの操作および動作方式または方向に合わせって反対方向または同一方向上の速度を制御可能な動力を生成することによって速度を制御可能な遠心力トレーニング（力点および筋肉収縮方向は反対方向）または向心力トレーニング（力点および筋肉収縮方向は同一方向）を達成することが可能である。
以上、本考案は、上記実施形態になんら限定されるものではなく、考案の趣旨を逸脱しない範囲において種々の形態で実施可能である。
【符号の説明】
【００２３】
１、２        ・・・  運動器材
５            ・・・  ユニット本体
１０、１０Ａ  ・・・  第一ユニット
２０、２０Ａ  ・・・  第二ユニット
２３          ・・・  接続部
３０、３０Ａ  ・・・  動力装置
３１          ・・・  第一連結部
３２          ・・・  第二連結部
５０、５０Ａ  ・・・  感知制御装置
５１          ・・・  第一センサー
５２          ・・・  第二センサー
【図１】
0003163572.tif 000003
【図２】
0003163572.tif 000004
【図３】
0003163572.tif 000005
【図４】
0003163572.tif 000006
【図５】
0003163572.tif 000007
【図６】
0003163572.tif 000008